(57)【特許請求の範囲】
【請求項１】
天井の施工方法であって、
先ず、枠体に耐火面材を取りつけることで天井パネルを構成するとともに、この天井パネルの側縁部に耐火材を貼着しておき、
部屋を囲む壁の壁面には、該壁面上端部を除いて耐火面材を貼着しておき、
前記天井パネルを、部屋を囲む壁の上方から吊り込んで、該天井パネルの側縁部に貼着された耐火面材下端を壁の壁面に貼着された耐火面材上端に載置するとともに、該天井パネルを前記壁に固定することを特徴とする天井の施工方法。
【請求項２】
請求項１記載の天井の施工方法において、
前記天井パネルには少なくとも一つの作業穴を形成しておき、
前記天井パネルを、部屋を囲む壁の上方から吊り込んで、該天井パネルの側縁部に貼着された耐火材下端を壁の壁面に貼着された耐火面材上端に載置するとともに、該天井パネルを前記壁に固定し、
次に、前記天井パネルの上方において、床パネルを壁の上端に設置するとともに、該床パネルとそれに隣接する他の床パネルとを前記作業穴から緊結材を挿入して、この緊結材によって連結し、
次に前記作業穴を補助耐火面材によって塞ぐことを特徴とする天井施工方法。
【請求項３】
請求項１記載の天井の施工方法に用いられる天井パネルであって、
枠体と、該枠体に取りつけられる耐火面材とを備えており、該枠体の側縁部には耐火材が貼着されていることを特徴とする天井パネル。
【請求項４】
請求項３記載の天井パネルにおいて、
前記耐火面材には少なくとも一つの作業穴が形成されていることを特徴とする天井パネル。
【請求項５】
請求項３または４記載の天井パネルにおいて、
前記天井パネルには、該天井パネルを、部屋を囲む壁の上方から吊り込む際に用いられる吊受材が形成されていることを特徴とする天井パネル。
【発明の詳細な説明】
【０００１】
【発明の属する技術分野】
本発明は、いわゆるプレハブ住宅の構築に採用される、天井施工方法および天井パネルに関する。
【０００２】
【背景の技術】
近年、住宅の構築においては、いわゆるプレハブ化が進み、特に最近は洗練された住戸プランが多く生み出され、工期とともにデザイン性も注目されている。プレハブ化工法においては、壁、床等がユニット化された壁パネルや床パネルが用いられ、これらを用いるパネル工法は、工期短縮の真髄とも言える。一方、住宅の構築工程の中には、住戸プランの多様性等から、ユニット化して組み立てにくい工程も存在する。このうちの一つが天井の取付工程であり、従来一般には、天井上面に野縁を作成し、この野縁を床部材から吊材によって吊る、という現場作業によって行われてきた。しかしながら、前記現場作業は、上向き体勢でしかも緻密性が要求される煩雑な作業となることが問題となってきた。
【０００３】
上記の問題に鑑みて、天井の施工を容易に行うための施工方法が生み出されつつある。例えば、特開２００１−０４９７９０号公報に示す技術もその一つであり、これは、建物の躯体構造部から天井材を吊り金物によって直接吊ることにより天井取付を行うものである。この技術により、野縁を形成する工程が省かれ、比較的容易な施工が可能となっている。
【０００４】
【発明が解決しようとする課題】
しかしながら、前記公報記載の技術においても、躯体構造部から天上材を吊る、という工程は存在する。ところで、住戸は一般に耐火構造とする必要があるため、壁と天井材との境界部においては耐火材の不連続箇所を生じさせない緻密な施工が要求される。すなわち、高さの調整を含めた天井材を吊る作業と、壁と天井材との境界部において耐火材を収める作業と、を同時に行う作業は容易ではない。
本発明の課題は、プレハブ住宅において、天井を天井パネルとしてユニット化するとともに、この天井パネルを上方から吊ることなく天井を形成することが可能となる、天井施工方法および天井パネルを提供することである。
【０００５】
【課題を解決するための手段】
上記課題を解決するために、請求項１記載の発明は、例えば図６〜図１２に示すように、
天井の施工方法であって、
先ず、枠体（ランナー２、スタッド３）に耐火面材（石膏ボード合板４）を取りつけることで天井パネル１を構成するとともに、この天井パネル１の側縁部に耐火材（側石膏ボード５）を貼着しておき、
部屋ａを囲む壁（壁パネル１２ａ、１２ｂ）の壁面には、該壁面上端部を除いて耐火面材（壁面石膏ボード１３）を貼着しておき、
前記天井パネル１を、部屋ａを囲む壁（壁パネル１２ａ、１２ｂ）の上方から吊り込んで、該天井パネル１の側縁部に貼着された耐火材（側石膏ボード５）下端を壁（壁パネル１２ａ）の壁面に貼着された耐火面材（壁面石膏ボード１３）上端に載置するとともに、該天井パネル１を前記壁（壁パネル１２ａ）に固定することを特徴としている。
【０００６】
請求項１記載の発明によれば、前記天井パネル１は、枠体に耐火面材（石膏ボード合板４）を取り付けることで構成され、この天井パネル１の側縁部には耐火材（側石膏ボード５）が貼着される。さらに、前記壁（壁パネル１２ａ、１２ｂ）の壁面には、該壁面上端部を除いて耐火面材（壁面石膏ボード１３が貼着される。
そして、前記天井パネル１が壁（壁パネル１２ａ）に固定される際には、天井パネル１の側縁部に貼着された耐火材（側石膏ボード５）下端が壁（壁パネル１２ａ）の壁面に貼着された耐火面材（壁面石膏ボード１３）上端に載置されるようにして行われる。
【０００７】
すなわち、天井上面に野縁を作成し、この野縁を吊材によって床部材から吊るという現場工程を経ることなく、前記天井パネル１を部屋ａを囲む壁（壁パネル１２ａ、１２ｂ）の上方から吊り込むことにより天井を形成することが可能となる。
この際、前記天井パネル１の側縁部に貼着されている耐火材（側石膏ボード５）によって、壁（壁パネル１２ａ）の壁面に貼着されている耐火面材（壁面石膏ボード１３）と、天井パネル１下面を構成する耐火面材（石膏ボード合板４）との境界部における隙間が確実に塞がれ、したがって耐火構造の不連続となる箇所が生じない。
これに加えて、前記天井パネル１を壁（壁パネル１２ａ）に固定する前に、該天井パネル１の位置を安定させることが可能となり、施工精度を向上させるとともに、容易かつ安定的に施工を行うことが可能となる。
【０００８】
以上により、容易かつ安定的に天井を形成することが可能となる。
【０００９】
なお、部屋を囲む壁は、現場施工される壁でもよいし、工場生産される壁パネルでもよい。
【００１０】
また、天井パネルの枠体に取り付けられる耐火面材や壁の壁面に貼着される耐火面材としては、例えば石膏ボード等が考えられる。
【００１１】
さらに、天井パネルの側縁部に貼着される耐火材は、天井パネルの枠体に取り付けられる耐火面材や、壁の壁面に貼着される耐火面材等と同一の材料であっても、異なる材料であってもよい。
【００１２】
請求項２記載の発明は、例えば図６〜図１２に示すように、請求項１記載の天井の施工方法において、
前記天井パネル１には少なくとも一つの作業穴６を形成しておき、
前記天井パネル１を、部屋ａを囲む壁（壁パネル１２ａ、１２ｂ）の上方から吊り込んで、該天井パネル１の側縁部に貼着された耐火材（側石膏ボード５）下端を壁（壁パネル１２ａ）の壁面に貼着された耐火面材（壁面石膏ボード１３）上端に載置するとともに、該天井パネル１を前記壁（壁パネル１２ａ）に固定し、
次に、前記天井パネル１の上方において、床パネル１５を壁（壁パネル１２ａ）の上端に設置するとともに、該床パネル１５とそれに隣接する他の床パネル１５とを前記作業穴６から緊結材（床パネル緊結ボルト１７）を挿入して、この緊結材（床パネル緊結ボルト１７）によって連結し、
次に前記作業穴６を補助耐火面材（補助石膏ボード合板９）によって塞ぐことを特徴としている。
【００１３】
請求項２記載の発明によれば、前記天井パネル１には少なくとも一つの作業穴６が形成される。
そして、前記天井パネル１は、部屋ａを囲む壁（壁パネル１２ａ）の上方から吊り込まれて、該壁（壁パネル１２ａ）に固定される。その後、前記天井パネル１の上方において、床パネル１５が壁（壁パネル１２ａ）の上端に設置され、該床パネル１５とそれに隣接する他の床パネル１５とが、前記作業穴６から挿入される緊結材（床パネル緊結ボルト１７）によって連結される。最後に、前記作業穴６が補助耐火面材（補助石膏ボード合板９）によって塞がれる。
【００１４】
すなわち、前記天井パネル１が吊り下ろされた後に、該天井パネル１の上方において床パネル１５が壁の上端に設置されるが、前記天井パネル１には前記作業穴６が形成される。したがって、前記床パネル１５とそれに隣接する他の床パネル１５とを、前記作業穴６から挿入される緊結材（床パネル緊結ボルト１５）によって連結して安定させることが可能となる。
【００１５】
なお、前記作業穴は、石膏ボード合板等によって最後に塞げばよい。
【００１６】
請求項３記載の発明は、例えば図１〜図５、図１３に示すように、請求項１記載の天井の施工方法に用いられる天井パネルであって、
枠体（ランナー２、スタッド３）と、該枠体（ランナー２、スタッド３）に取りつけられる耐火面材（石膏ボード合板４）とを備えており、該枠体（ランナー２、スタッド３）の側縁部には耐火材（側石膏ボード５）が貼着されていることを特徴としている。
【００１７】
請求項３記載の発明によれば、前記天井パネル１は、枠体（ランナー２、スタッド３）と、該枠体（ランナー２、スタッド３）に取りつけられる耐火面材（石膏ボード合板４）とを備えており、該枠体（ランナー２、スタッド３）の側縁部には耐火材（側石膏ボード５）が貼着されている。
これにより、天井上面に野縁を作成し、この野縁を吊材によって床部材から吊るという現場工程を経ることなく、天井パネル１を部屋ａを囲む壁（壁パネル１２ａ、１２ｂ）の上方から吊り込み、該壁（壁パネル１２ａ）に固定することにより天井を形成することが可能となる。
【００１８】
さらに、以下に示す施工方法により、耐火構造となる天井が容易かつ安定的に形成される。先ず、部屋ａを囲む壁（壁パネル１２ａ、１２ｂ）の壁面には、該壁面上端部を除いて耐火面材（壁面石膏ボード１３）を貼着しておく。そして、前記天井パネル１を壁（壁パネル１２ａ）に固定する際には、天井パネル１の側縁部に貼着された耐火材（側石膏ボード５）下端を壁（壁パネル１２ａ）の壁面に貼着された耐火面材（壁面石膏ボード１３）上端に載置するようにして行う。
【００１９】
すなわち、前記天井パネル１の側縁部に貼着されている耐火材（側石膏ボード５）によって、壁（壁パネル１２ａ）の壁面に貼着されている耐火面材（壁面石膏ボード１３）と、天井パネル１下面を構成する耐火面材（石膏ボード合板４）との境界部における隙間が確実に塞がれ、したがって耐火構造の不連続となる箇所が生じない。
これに加えて、前記天井パネル１を壁（壁パネル１２ａ）に固定する前に、該天井パネル１の位置を安定させることが可能となり、施工精度を向上させるとともに、容易かつ安定的に施工を行うことが可能となる。
【００２０】
請求項４記載の発明は、例えば図１〜図５、図１３に示すように、請求項３記載の天井パネル１において、
前記耐火面材（石膏ボード合板４）には少なくとも一つの作業穴６が形成されていることを特徴としている。
【００２１】
請求項４記載の発明によれば、前記耐火面材（石膏ボード合板４）には少なくとも一つの作業穴６が形成されている。これにより、天井を形成した後、該天井パネル１の上方において床パネル１５を壁（壁パネル１２ａ）の上端に設置するとともに、該床パネル１５とそれに隣接する他の床パネル１５とを、前記作業穴６から挿入される緊結材（床パネル緊結ボルト１７によって連結して安定させることが可能となる。
したがって、容易かつ安定的に天井を形成することが可能となる。
【００２２】
なお、前記作業穴は、石膏ボード合板等によって最後に塞げばよい。
【００２３】
請求項５記載の発明は、例えば図１〜図５、図１３に示すように、請求項３または４記載の天井パネル１において、
前記天井パネル１には、該天井パネル１を、部屋ａを囲む壁（壁パネル１２ａ、１２ｂ）の上方から吊り込む際に用いられる吊受材（吊り込み用野縁受け７）が形成されていることを特徴としている。
【００２４】
請求項５記載の発明によれば、天井パネル１には吊受材（吊り込み用野縁受け７）が形成されているため、該天井パネル１を部屋ａを囲む壁（壁パネル１２ａ、１２ｂ）の上方から吊り込む作業を、容易かつ安定的に行うことができる。
【００２５】
【発明の実施の形態】
以下、本発明に係る天井施工方法および天井パネルの実施形態について詳細に説明する。
【００２６】
先ず、本発明に係る天井パネルについて、図１〜図５を参照して説明する。
図１（ａ）において、符号１は本発明に係る天井パネルを示す。
本発明に係る天井パネル１は、図１（ａ）に示すように、該天井パネル１の外形を形成するとともに該天井パネル１の剛性を確保するための、ランナー２（枠体）およびスタッド３（枠体）、これらのランナー２およびスタッド３に取り付けられる耐火性能を有する石膏ボード合板４（耐火面材）、側石膏ボード５（耐火材）等から構成されている。前記石膏ボード合板４には、後述するように、前記天井パネル１の上方において、互いに隣接するようにして設置される床パネル１５どうしを床パネル緊結ボルト１６（緊結材）によって連結する際に用いられる作業穴６が形成されている。また、前記天井パネル１の４隅部には、該天井パネル１を吊り上げる際にワイヤー等を引っ掛ける吊り込み用野縁受け７（吊受材）が設けられている。
【００２７】
石膏ボード合板４は、図１（ａ）（図５（ａ））に示すように、所定の大きさとなるように矩形状に形成されている石膏ボード４ａが並列されるとともに、該石膏ボード４ａが２枚重ねられることによって形成されている。この際、前記作業穴６が形成される部分には、石膏ボード４ａが設けられないようになっている。なお、２枚重ねられる石膏ボード４ａどうしは、ある方向に長辺となるように矩形状に形成されている石膏ボード４ａ１上に、該方向と直交する方向に長辺となるように矩形状に形勢されている石膏ボード４ａ２が位置するように、石膏ボードボンド７によって接着されている。前記のように石膏ボード合板４を形成することによって、該石膏ボード合板４の剛性が確保されるとともに、該石膏ボード合板４の反りが防止されている。
【００２８】
前記作業穴５は、図１（ｂ）に示すような、補助石膏ボード合板９（補助耐火面材）によって塞がれる。
なお、前記補助石膏ボード合板９も、２枚の石膏ボード９ａが石膏ボードボンド８によって接着されることにより形成されている。
【００２９】
天井パネル１の外周には、図１（ａ）（図５（ａ））に示すように、外周ランナー２ａが配されており、対向する一組の外周ランナー２ａを繋ぐようにして２本の内部スタッド３ａが配されている。また、前記２本の内部スタッド３ａを繋ぐようにして２本の内部ランナー２ｂが配されており、さらに、該２本の内部ランナー２ｂを繋ぐようにして１本の中央部スタッド３ｂが配されている。そして、前記外周ランナー２ａ、前記内部スタッド３ａ、前記内部ランナー２ｂにより、前記作業穴５が設けられるための、矩形状に囲まれる部分５ａが形成されている。
前記外周ランナー２ａ、内部ランナー２ｂには、それぞれ図２（ａ）、図２（ｂ）に示すように、鋼材である溝型鋼が用いられており、前記内部スタッド３ａ、前記中央部スタッド３ｂには、それぞれ図２（ｃ）、図２（ｄ）に示すように、鋼材であるＣ型チャンネルが用いられている。
【００３０】
なお、天井パネル１の側部には、図１（ａ）（図５ｂ）に示すように、前記外周ランナー２ａの成とほぼ同幅の側石膏ボード５が、図示しないビスまたは接着剤により固定されている。
【００３１】
また、前記内部スタッド３ａや前記中央部スタッド３ｂと、前記内部ランナー２ｂとの接合部は、図３（ａ）に示すように、該内部ランナー２ｂの一部折り曲げ加工された部分が、該内部スタッド３ａや該中央部スタッド３ｂにビス９により固定されている。
【００３２】
また、前記天井パネル１の４隅部には、図３（ｂ）に示すように、前記外周ランナー２ａを繋ぐようにして、図２（ｅ）に示すＣ型チャンネルである吊り込み用野縁受け６がビス１０により固定されている。なお、前記吊り込み用野縁受け６の両端部は、外周ランナー２ａを前記天井パネル１の４隅部で繋げる形状となるように４５度程度に切り込み加工されている。
【００３３】
さらに、前記石膏ボード合板４と前記ランナー２およびスタッド３とは、図５（ａ）、図５（ｂ）に示すように、該石膏ボード合板４側から該ランナー２およびスタッド３側へ、所定間隔でステープル１１により固定されている。
【００３４】
前記天井パネル１は、図５（ｃ）に示すように、壁パネル１２ａに固定されている。すなわち、前記天井パネル１の外周ライナー２ａに貼着されている側石膏ボード５の下面が、壁パネル１２ａの壁面に上端部を除いて貼着されている壁面石膏ボード１３の上面に載置されている。さらに、天井パネル１が壁パネル１２ａの壁面に、該天井パネル１の外周ランナー２ａおよび前記側石膏ボード５を釘１４が貫通するようにして固定されている。
なお、図５（ｃ）において、符号１２ａは耐力壁となる壁パネルである。
また、前記天井パネル１の上方においては、枠材１５ｂに面材１５ａが固定されて形成されている床パネル１５が、前記壁パネル１２ａの上端部に載置されている。符号１８は床パネル１５の枠材１５ｂに隣接して配される半土台を示す。
【００３５】
次に、本発明に係る天井施工方法について、図６〜図１２を参照して説明する。
先ず、図６に示すように、本発明に係る天井パネル１によって天井を形成する部屋ａに壁パネル１２ａ、１２ｂを建て込む。なお、図６において、符号１２ａは耐力壁となる壁パネルであり、符号１２ｂは間仕切り壁である壁パネルである。図１２に示すように、耐力壁となる壁パネル１２ａは一般に上下階において連続させる必要があり、間仕切り壁となる壁パネル１２ｂは一般に上下階において連続させなくともよくなっている。
これら壁パネル１２ａ、１２ｂの前記部屋ａに面する壁面には、上端部を除いて壁面石膏ボード１３を図示しないビスまたは接着剤によって貼着しておく。
なお、前記部屋ａに隣接し、従来工法によって天井を形成する部屋ｂにも壁パネル１２ａ、１２ｂを建て込んでおく。前記部屋ｂに面する壁パネル１２ａ、１２ｂの壁面全体には、壁面石膏ボード１３を図示しないビスまたは接着剤によって貼着しておく。
【００３６】
次に、工場生産され、建築現場に仮置された天井パネル１を、図７に示すように、クレーン等によって吊り上げる。この際、スリングベルト１６を、前記天井パネル１の２ヶ所の野縁用吊り受け７に掛けて吊り上げる。
【００３７】
次に、吊り上げられた天井パネル１を、図８に示すように、建て込まれた壁パネル１２ａ、１２ｂ上で水平にして該天井パネル１を所定の位置に載置できるようにする。
【００３８】
なお、図７、図８に示す方法以外にも、例えば、図９に示すように、天井パネル１を水平に吊り上げて該天井パネル１を所定の位置に載置できるようにしてもよい。この際、スリングベルト１６を、前記天井パネル１の４隅部の野縁用吊り受け７に均等に掛けて、該天井パネル１がバランスよく吊り上げられるようにする。
【００３９】
次に、図１０に示すように、前記外周ライナー２ａに貼着されている側石膏ボード５が壁パネル１２ａ、１２ｂに当らないように注意しながら、天井パネル１を所定の位置に載置する。この際、前記作業穴６が、前記間仕切り壁となる壁パネル１２ｂに面するようにする。さらに、壁パネル１２ａの壁面に、該壁パネル１２ａの上端部を除いて貼着されている石膏ボードの上面に、前記外周ライナー２ａに貼着されている壁面石膏ボード１３の下面が載置されるようにする。
そして、天井パネル１の位置を再確認後、該天井パネル１を壁パネル１２ａの壁面に、該天井パネル１の外周ランナー２ａおよび前記側石膏ボード５を釘１４により貫通させるようにして固定する。
【００４０】
次に、図１１に示すように、本発明に係る天井パネル１によって天井を形成する部屋ａに面する壁パネル１２ａの上端に、枠材１５ｂに面材１５ａが固定されて形成されている床パネル１５を設置する。また、前記部屋ａに隣接し、従来工法によって天井を形成する部屋ｂに面する壁パネル１２ａの上端にも前記床パネル１５を設置する。
【００４１】
次に、図１２に示すように、前記間仕切り壁となる壁パネル１２ｂに面し、前記天井パネル１に形成されている作業穴６から床パネル緊結ボルト１７を挿入して、この床パネル緊結ボルト１７によって、隣接する床パネル１５どうしを緊結する。この際、前記床パネル緊結ボルト１７によって、互いに隣接する床パネル１５の枠材１５ｂどうしを緊結するようにする。
【００４２】
最後に、床パネル１５に形成されている作業穴６に、前記補助石膏ボード合板９をはめ込んで塞ぐ。
なお、耐力壁となる壁パネル１２ａは上下階において連続させる構造とする。この際、床パネル１の枠材１５ｂに隣接させるようにして半土台１８を配し、この半土台１８と前記枠材１５ｂを釘１９により固定する。さらに、耐力壁となる壁パネル１２ａを前記床パネル１５および前記半土台１８の上に載置し、上下階で連続する、耐力壁となる壁パネル１２ａどうしを、胴差ボルト２０により緊結するようにする。
【００４３】
以上により、容易かつ安定的に、耐火構造となる天井を形成することが可能となる。
【００４４】
本実施の形態によれば、以下のような効果を得ることができる。
【００４５】
▲１▼前記天井パネル１は、ランナー２およびスタッド３に石膏ボード合板４を取り付けることで構成されている。また、前記壁パネル１２ａ、１２ｂの壁面には、該壁面上端部を除いて壁面石膏ボード１３が貼着されており、前記天井パネル１の側縁部には、側石膏ボード５が貼着されている。
そして、前記天井パネル１が壁パネル１２ａに固定される際には、天井パネル１の側縁部に貼着された側石膏ボード５下端が壁パネル１２ａの壁面に貼着された壁面石膏ボード１３上端に載置されるようにして行われる。
【００４６】
すなわち、前記天井パネル１の側縁部に貼着されている側石膏ボード５によって、壁パネル１２ａの壁面に貼着されている壁面石膏ボード１３と、天井パネル１下面を構成する石膏ボード合板４との境界部における隙間が確実に塞がれ、したがって耐火構造の不連続となる箇所が生じない。
これに加えて、前記天井パネル１を壁パネル１２ａに固定する前に、該天井パネル１の位置を安定させることが可能となり、施工精度を向上させるとともに、容易かつ安定的に施工を行うことが可能となる。
【００４７】
以上により、容易かつ安定的に天井を形成することが可能となる。
【００４８】
▲２▼前記天井パネル１は、ランナー２およびスタッド３に石膏ボード合板４を取り付けることで構成されており、この天井パネル１には少なくとも一つの作業穴６が形成されている。
そして、前記天井パネル１は、前記部屋ａを囲む壁パネル１２ａ、１２ｂの上方から吊り込まれて、該壁パネル１２ａに固定される。その後、前記天井パネル１の上方において、床パネル１５が壁パネル１２ａの上端に設置され、該床パネル１５とそれに隣接する他の床パネル１５とを前記作業穴６から床パネル緊結ボルト１７が挿入されて、この床パネル緊結ボルト１７によって連結される。最後に、前記作業穴６が補助施工ボード合板９によって塞がれる。
【００４９】
すなわち、天井上面に野縁を作成し、この野縁を吊材によって床部材から吊るという現場工程を経ることなく、前記天井パネル１を前記部屋ａを囲む壁パネル１２ａ、１２ｂの上方から吊り込むことにより天井が形成される。
また、前記天井パネル１が吊り下ろされた後に、該天井パネル１の上方において床パネル１５が壁パネル１２ａの上端に設置されるが、前記天井パネル１には前記作業穴６が形成されている。したがって、前記床パネル１５とそれに隣接する他の床パネル１５とを、前記作業穴６から挿入される床パネル緊結ボルト１７によって連結して安定させることが可能となる。
【００５０】
▲３▼天井パネル１には吊り込み用野縁受け７が形成されているため、該天井パネル１を前記部屋ａを囲む壁パネル１２ａ、１２ｂの上方から吊り込む作業を、容易かつ安定的に行うことができる。
【００５１】
なお、本実施の形態においては、前記部屋ａ、前記部屋ｂを構成する壁を壁パネル１２ａ、１２ｂにより構成しているが、前記壁の一部または全部を現場施工により形成してもよいことは勿論である。
【００５２】
また、本実施の形態においては、壁パネル１２ａ、１２ｂや天井パネル１に用いる耐火材には準不燃材料である石膏ボード４ａ、５、１３を用いているが、この他にも例えば、準不燃材料である木毛セメント版、あるいは不燃材料である石綿スレート等を用いてもよいことは勿論である。
【００５３】
さらに、本実施の形態においては、天井パネル１には、作業穴６を１ヶ所のみ形成しているが、施工状況に応じて、例えば図１３（ａ）に示すように２ヶ所形成したり、図１３（ｂ）に示すように４ヶ所形成したりしてもよいことは勿論である。
【００５４】
【発明の効果】
請求項１記載の発明によれば、天井上面に野縁を作成し、この野縁を吊材によって床パネルから吊るという現場工程を経ることなく、前記天井パネルを部屋を囲む壁の上方から吊り込むことにより天井が形成される。加えて、耐火構造の不連続となる箇所が生じない施工を、前記天井パネルを壁に固定する前に該天井パネルの位置を安定させるながら容易かつ安定的に行うことが可能となる。
【００５５】
請求項２記載の発明によれば、請求項１記載の発明と同様の効果が得られることは勿論のこと、前記天井パネルが吊り下ろされた後に、該天井パネルの上方において設置される床パネルどうしを、前記作業穴から挿入される緊結材によって連結して安定させることが可能となる。
【００５６】
請求項３記載の発明によれば、天井上面に野縁を作成し、この野縁を吊材によって床パネルから吊るという現場工程を経ることなく、天井パネルを部屋を囲む壁の上方から吊り込み、該壁に固定することにより天井が形成される。加えて、耐火構造の不連続となる箇所が生じない施工を、前記天井パネルを壁に固定する前に該天井パネルの位置を安定させるながら容易かつ安定的に行うことが可能となる。
【００５７】
請求項４記載の発明によれば、請求項３記載の発明と同様の効果が得られることは勿論のこと、前記天井パネルが吊り下ろされた後に、該天井パネルの上方において設置される床パネルどうしを、前記作業穴から挿入される緊結材によって連結して安定させることが可能となる。
【００５８】
請求項５記載の発明によれば、請求項３または４記載の発明と同様の効果が得られることは勿論のこと、天井パネルには吊受材が形成されているため、該天井パネルを部屋を囲む壁の上方から吊り込む作業を、容易かつ安定的に行うことができる。
【図面の簡単な説明】
【図１】本発明に係る天井パネルの実施の形態例を示す図であり、（ａ）は天井パネルを示す斜視図であり、（ｂ）は補助石膏ボード合板を示す斜視図である。
【図２】前記天井パネルを構成する、（ａ）、（ｂ）はランナー、（ｃ）、（ｄ）はスタッド、（ｅ）は吊り込み用野縁受けを示す図である。
【図３】前記天井パネルの、（ａ）はランナーとスタッドとの接合部、（ｂ）は吊り込み用野縁受けとランナーとの接合部を示す図である。
【図４】前記天井パネルの、（ａ）、（ｂ）ともに、石膏ボードのランナーおよびスタッドへの固定形態を示す図である。
【図５】前記天井パネルの、（ａ）は平面図、（ｂ）は側面図、（ｃ）は壁パネルに固定されている形態を示す断面図である。
【図６】本発明に係る天井施工方法の施工工程の一つを示す図である。
【図７】本発明に係る天井施工方法の施工工程の一つを示す図である。
【図８】本発明に係る天井施工方法の施工工程の一つを示す図である。
【図９】本発明に係る天井施工方法の施工工程の一つを示す図である。
【図１０】本発明に係る天井施工方法の施工工程の一つを示す図である。
【図１１】本発明に係る天井施工方法の施工工程の一つを示す図である。
【図１２】本発明に係る天井施工方法の施工工程の一つを示す図である。
【図１３】（ａ）、（ｂ）ともに、本発明に係る天井パネルの変形例を示す図である。
【符号の説明】
１      天井パネル
２      ランナー（枠体）
３      スタッド（枠体）
４      石膏ボード合板（耐火面材）
５      側石膏ボード（耐火材）
６      作業穴
７      吊り込み用野縁受け（吊受材）
９      補助石膏ボード合板（補助耐火面材）
１２ａ  （耐力壁の）壁パネル（壁）
１２ｂ  （間仕切り壁の）壁パネル（壁）
１３    壁面石膏ボード（耐火面材）
１５    床パネル
１７    床パネル緊結ボルト（緊結材）
【図１】
0004708636.tif 000002
【図２】
0004708636.tif 000003
【図３】
0004708636.tif 000004
【図４】
0004708636.tif 000005
【図５】
0004708636.tif 000006
【図６】
0004708636.tif 000007
【図７】
0004708636.tif 000008
【図８】
0004708636.tif 000009
【図９】
0004708636.tif 000010
【図１０】
0004708636.tif 000011
【図１１】
0004708636.tif 000012
【図１２】
0004708636.tif 000013
【図１３】
0004708636.tif 000014